(57)【要約】脳内の血液塊に接近するためのカニューレシステムおよび方法。システムは、カニューレ内腔と、内腔の下にある術野の中を見る、カニューレの近位端に取り付けられたカメラを備えるカニューレを備えている。プリズム、リフレクタまたはその他の好適な光学素子は、カメラでカニューレの中を見ることができるように内腔の閉塞を最小限にしつつ、カメラとカニューレの内腔との間に向けられている。システムは、小さな直径のシャフトと、光学的に透過性の大きな直径の先端部とを有するオブチュレータも備えていてもよく、その結果、この組立体を挿入または操作する脳外科医は、オブチュレータ先端部が脳組織（白色である）または血管（赤色である）の付近にあることを容易に知ることができる。
2019528822.tif 000002
【特許請求の範囲】
【請求項１】
術野に接近するためのカニューレシステムであって、前記カニューレは、
近位端および遠位端を有し、前記近位端から前記遠位端まで延びる内腔を有するカニューレ管を備えるカニューレと、
前記カニューレの近位端に固定され、その一部が前記内腔に突き出ており、前記内腔または前記カニューレ管の内腔によって規定される円筒形の空間へと延びており、これらから延びているカメラ組立体とを備える、カニューレシステム。
【請求項２】
前記カメラ組立体が、撮像センサとレンズとプリズムとを備えており、前記プリズムが、前記内腔に突き出ている前記カメラの一部である、請求項１に記載のカニューレシステム。
【請求項３】
前記カメラ組立体の構成部品は、前記カメラの焦点距離を変えるために、前記カニューレに対して半径方向に内側または外側に並進可能である、請求項２に記載のカニューレシステム。
【請求項４】
並進可能な前記カメラ組立体の構成部品が、撮像センサである、請求項３に記載のカニューレシステム。
【請求項５】
並進可能な前記カメラ組立体の構成部品が、レンズである、請求項３に記載のカニューレシステム。
【請求項６】
並進可能な前記カメラ組立体の構成部品が、プリズムである、請求項３に記載のカニューレシステム。
【請求項７】
前記プリズムが、遠位に面する表面と、前記内腔を通って延びるプリズム視軸とを特徴とし、前記撮像センサ視軸が、前記プリズム視軸に対して実質的に垂直である、請求項２に記載のカニューレシステム。
【請求項８】
前記プリズム視軸が、前記プリズムの遠位に面する表面に対して垂直に、前記内腔を通って延びる、請求項７に記載のカニューレシステム。
【請求項９】
前記プリズム視軸が、前記カニューレの近位端から、前記管状本体の長さの約８０％〜１２０％の範囲内の距離だけ空間的に離れた点で前記カニューレの中心長軸と交差する、請求項７に記載のカニューレシステム。
【請求項１０】
前記プリズム視軸が、前記カニューレの近位端から、前記管状本体の長さの約９５％〜１０５％の範囲内の距離だけ空間的に離れた点で前記カニューレの長軸と交差する、請求項７に記載のカニューレシステム。
【請求項１１】
前記プリズムが、光を前記プリズム視軸から約７０°〜約１１０°の範囲内の角度まで曲げる、請求項８と同様の頭蓋内出血の視覚化および接近装置。
【請求項１２】
前記プリズムが、光を前記プリズム視軸から約８５°〜約９５°の範囲内の角度まで曲げる、請求項１１と同様の頭蓋内出血の視覚化および接近装置。
【請求項１３】
前記プリズムが、前記中心内腔を、前記中心内腔の内径の約２５％以下まで突き出ている、請求項４と同様の頭蓋内出血の視覚化および接近装置。
【請求項１４】
前記プリズムが、前記中心内腔を、前記中心内腔の内径の約１５％以下まで突き出ている、請求項１３と同様の頭蓋内出血の視覚化および接近装置。
【請求項１５】
前記管状本体によって保有され、前記中心内腔を露光する少なくとも４個の光源を備えている、請求項１と同様の頭蓋内出血の視覚化および接近装置。
【請求項１６】
前記光源が、前記遠位端から前記管状本体の長さの約５０％以内に配置される、請求項１５と同様の頭蓋内出血の視覚化および接近装置。
【請求項１７】
前記光源の少なくとも１つが、前記遠位端から前記管状本体の長さの約２５％以内に配置される、請求項１６と同様の頭蓋内出血の視覚化および接近装置。
【請求項１８】
前記光源がＬＥＤを含む、請求項１５と同様の頭蓋内出血の視覚化および接近装置。
【請求項１９】
前記光源が直角ＬＥＤを含む、請求項１８と同様の頭蓋内出血の視覚化および接近装置。
【請求項２０】
前記中心内腔に光学バッフルをさらに備える、請求項１８と同様の頭蓋内出血の視覚化および接近装置。
【請求項２１】
前記プリズムが、前記内腔の内径の約２５％以下まで、前記中心内腔に突き出ている、請求項２に記載のカニューレシステム。
【請求項２２】
前記プリズムが、前記内腔の内径の約１５％以下まで、前記中心内腔に突き出ている、請求項２に記載のカニューレシステム。
【請求項２３】
前記カニューレ管によって保有される複数の光源をさらに備えている、請求項２１に記載のカニューレシステム。
【請求項２４】
前記複数の光源が、前記管状本体の長さの遠位に最大５０％以内にある、請求項２３に記載のカニューレシステム。
【請求項２５】
前記複数の光源が、前記管状本体の長さの遠位に最大３０％以内にある、請求項２４に記載のカニューレシステム。
【請求項２６】
前記プリズムが、前記管状本体に対して強固に取り付けられている、請求項２１に記載のカニューレシステム。
【請求項２７】
前記プリズムが、平面の遠位光学面と、前記遠位光学面に対して垂直に延び、前記長手方向軸に対して平行ではないプリズム視軸とを有する、請求項２１に記載のカニューレシステム。
【請求項２８】
前記プリズム視軸が、前記管状本体の長さの約８０％〜１２０％の範囲内の距離だけ前記近位端から空間的に離れた点で前記長手方向軸と交差する、請求項２７に記載のカニューレシステム。
【請求項２９】
前記プリズム視軸が、前記管状本体の長さの約９５％〜１０５％の範囲内の距離だけ前記近位端から空間的に離れた点で前記長手方向軸と交差する、請求項２７に記載のカニューレシステム。
【請求項３０】
前記センサが、前記管状本体に対して強固に取り付けられている、請求項２７に記載のカニューレシステム。
【請求項３１】
医学的な視覚化および接近装置であって、
近位端、遠位端およびその間に延びるワーキングチャンネルを有する細長い管状本体と、
前記近位端によって保有され、前記ワーキングチャンネルを通って自由空間に伝播される画像データを捕捉するように構成されるセンサとを備え、
前記センサと前記ワーキングチャンネルとの関係が固定されており、手術道具の操作と視覚化が同時に前記ワーキングチャンネルによって達成されてもよい、医学的な視覚化および接近装置。
【請求項３２】
前記ワーキングチャンネルからの画像データを前記センサに対して横方向に向けるための光学素子をさらに備える、請求項３１と同様の医学的な視覚化および接近装置。
【請求項３３】
前記光学素子が、プリズムを含む、請求項３２と同様の医学的な視覚化および接近装置。
【請求項３４】
前記ワーキングチャンネルにおいて自由空間を通って前記プリズムから遠位に延びるプリズム視軸は、前記近位端から前記管状本体の長さの少なくとも約７５％である点で前記ワーキングチャンネルの中心長手方向軸に交差する、請求項３３と同様の医学的な視覚化および接近装置。
【請求項３５】
前記ワーキングチャンネル内に複数のＬＥＤをさらに備える、請求項３４と同様の自給式の医学的な視覚化および接近装置。
【請求項３６】
前記カニューレ管の近位端に配置される取付構造をさらに備え、
前記カメラが、前記取付構造上に配置され、前記カメラが、前記カメラが前記内腔または前記カニューレ管の内腔によって規定される円筒形の空間へと延びており、これらから延びている第１位置から、前記カメラが前記内腔または前記カニューレ管の内腔によって規定される円筒形の空間の外側に留まっている第２位置まで、前記取付構造内を並進可能である、請求項１に記載のカニューレシステム。
【請求項３７】
前記カメラが、撮像センサとプリズムとを備え、前記プリズムが、前記内腔に突き出ており、前記内腔を部分的に塞ぐ前記カメラの一部であり、
前記撮像センサが、撮像面を有し、前記プリズムが、前記撮像面に対して平行に向かう光を前記撮像面の方に向かわせるように撮像面と整列している、請求項１に記載のカニューレシステム。
【請求項３８】
前記カニューレ管の近位端に配置される取付構造をさらに備え、
前記カメラが、前記取付構造上に配置され、前記カメラが、前記プリズムが前記内腔または前記カニューレ管の内腔によって規定される円筒形の空間へと延びており、これらから延びている第１位置から、前記カメラが前記内腔または前記カニューレ管の内腔によって規定される円筒形の空間の外側に留まっている第２位置まで、前記取付構造内を並進可能である、請求項３７に記載のカニューレシステム。
【請求項３９】
前記カニューレ管の遠位端に固定された光源をさらに備える、請求項１に記載のカニューレシステム。
【請求項４０】
１つ以上の光源と使用者との間にある前記カニューレの遠位端に作動的に接続された光シールドをさらに備える、請求項３９に記載のカニューレシステム。
【請求項４１】
前記撮像システムが、枢着点で前記光シールドに移動可能に接続される、請求項４０に記載のカニューレシステム。
【請求項４２】
前記光シールドに接続するトラックをさらに備え、前記撮像システムが、前記トラックに移動可能に係合し、前記トラック上を横方向に移動する、請求項４０に記載のカニューレシステム。
【請求項４３】
前記カニューレ管の内腔に突出する複数のバッフルをさらに備える、請求項３９に記載のカニューレシステム。
【請求項４４】
前記カニューレ管の近位端に配置される光源をさらに備え、前記カニューレ管が、内表面および外表面を有する遠位部分を有し、前記内表面および前記外表面が、前記カニューレ管からの光の発生を可能にするように構成される、請求項３６に記載のカニューレシステム。
【請求項４５】
患者の脳内の血液塊に接近するためのカニューレシステムであって、前記カニューレシステムが、
近位端および遠位端を有し、前記近位端から前記遠位端まで延びる内腔を有するカニューレ管を備えるカニューレと、
近位端および遠位端を有するオブチュレータシャフトを備え、前記オブチュレータシャフトの遠位端に配置されるオブチュレータ先端部を備え、前記オブチュレータ先端部は光学的に透過性であり、近位表面およびテーパー状の遠位表面を有し、前記カニューレ管内をスライド可能であり、前記オブチュレータシャフトの近位端が前記カニューレ近位端から近位に延びているように前記カニューレ管内に配置可能であり、一方、前記テーパー状の遠位表面が、前記カニューレ遠位端から延びており、前記オブチュレータシャフトが、前記カニューレの内腔よりも小さな横断面を有し、それによって、前記オブチュレータ先端部が、前記テーパー状の遠位表面が前記カニューレ遠位端から延びるように前記カニューレ内に配置されるとき、前記オブチュレータ先端部の近位表面を前記カニューレの近位端から見ることができる、オブチュレータとを備える、カニューレシステム。
【請求項４６】
前記カニューレの近位端に固定されたカメラをさらに備え、前記カメラの一部が、前記内腔に突き出ており、前記内腔を部分的に遮る、請求項４５に記載のカニューレシステム。
【請求項４７】
前記カメラからの画像を表示するように操作可能であり、前記オブチュレータ先端部の近位表面に近接する前記カニューレ管の内壁の画像、前記近位先端部の近位表面の画像および前記オブチュレータシャフトの画像を含むディスプレイと、
前記カメラからの画像データを受信し、画像データを前記ディスプレイに送信し、マーカを前記ディスプレイに表示するように操作可能であり、前記マーカが、前記カニューレまたはオブチュレータに対する指標に対応する制御システムとをさらに備える、請求項４６に記載のカニューレシステム。
【請求項４８】
前記オブチュレータが、中心円筒形部分と、遠位および近位の円錐形部分を有し、前記中心円筒形部分が、前記カニューレの内径と密接に適合する外径を有することをさらに備える、請求項４５に記載のカニューレシステム。
【請求項４９】
前記オブチュレータ先端部の遠位表面がとがっており、直線的な断面を有し、一方、前記近位表面が、とがっているか、丸みを帯びているか、または平坦であることをさらに備える、請求項４５に記載のカニューレシステム。
【請求項５０】
前記オブチュレータ先端部が、回転楕円体を含む、請求項４５に記載のカニューレシステム。
【請求項５１】
前記オブチュレータが、偏長の回転楕円体を含む、請求項４５に記載のカニューレシステム。
【請求項５２】
前記オブチュレータ先端部の前記近位表面がテーパー状である、請求項４５に記載のカニューレシステム。
【請求項５３】
前記オブチュレータが、扁平な回転楕円体を含む、請求項４５に記載のカニューレシステム。
【請求項５４】
熱に安定なＩＣＨ撮像装置であって、
近位端、遠位端および中心内腔を有する細長い管状本体と、
前記管状本体によって、前記管状本体の長さの遠位に最大約３０％以内に保有される複数のＬＥＤ光源と、
前記管状本体の近位端に取り付けられたセンサとを備え、
前記中心内腔が、前記ＬＥＤ光源による照射下で前記センサによるＩＣＨに対する処置および視覚化を同時に行い、ＳＴＰで少なくとも６０分間、少なくとも約２５００ルーメンの強度での周囲空気中のＬＥＤ光源の操作によって、前記管状本体の遠位端が、約１７℃を超えない温度まで上昇する、撮像装置。
【請求項５５】
前記管状本体の長さの遠位に最大３０％以内に少なくとも３個のＬＥＤを備える、請求項５４に記載の撮像装置。
【請求項５６】
前記管状本体の長さの遠位に最大３０％以内に第１の遠位ＬＥＤを少なくとも備え、前記遠位ＬＥＤから近位に空間的に離れた第２の近位ＬＥＤを少なくとも備える、請求項５４に記載の撮像装置。
【請求項５７】
ＳＴＰで少なくとも６０分間、少なくとも約３６００ルーメンの強度での周囲空気中のＬＥＤ光源の操作によって、前記管状本体の遠位端が、約１７℃を超えない温度まで上昇する、請求項５４に記載の撮像装置。
【請求項５８】
前記ＬＥＤの少なくとも１つが直角ＬＥＤである、請求項５４に記載の撮像装置。
【請求項５９】
前記近位端によって保有され、前記センサと前記遠位端との間の光路内に配置される光学素子をさらに備える、請求項５４に記載の撮像装置。
【請求項６０】
前記光学素子が、プリズムを含む、請求項５９に記載の撮像装置。
【請求項６１】
前記中心内腔が、これを通って同軸に延びる長手方向軸を有し、前記センサが、センサ視軸を有し、前記長手方向軸と前記センサ視軸が、前記光学素子で、ある角度で交差する、請求項５４に記載の撮像装置。
【請求項６２】
前記角度が、約７０°〜１１０°の範囲内である、請求項６１と同様の撮像装置。
【請求項６３】
前記角度が、約８５°〜９５°の範囲内である、請求項６２と同様の撮像装置。
【請求項６４】
前記プリズムが、前記管状本体を通って近位に伝播する光線を曲げ、前記光線を前記センサに対して横方向に向かわせる、請求項６０と同様の撮像装置。
【請求項６５】
前記プリズムが、前記中心内腔の内径の約２５％以下まで前記中心内腔に突き出ている、請求項６０と同様の撮像装置。
【請求項６６】
前記プリズムが、前記中心内腔の内径の約１５％以下まで前記中心内腔に突き出ている、請求項６５と同様の撮像装置。
【請求項６７】
前記プリズムが、前記管状本体に対して強固に取り付けられている、請求項６０と同様の撮像装置。
【請求項６８】
前記プリズムが、平面の遠位光学面と、前記遠位光学面に対して垂直に延び、前記長手方向軸に対して平行ではないプリズム視軸とを有する、請求項６１と同様の撮像装置。
【請求項６９】
前記プリズム視軸が、前記管状本体の長さの約８０％〜１２０％の範囲内の距離だけ前記近位端から空間的に離れた点で前記長手方向軸と交差する、請求項６８と同様の撮像装置。
【請求項７０】
前記プリズム視軸が、前記管状本体の長さの約９５％〜１０５％の範囲内の距離だけ前記近位端から空間的に離れた点で前記長手方向軸と交差する、請求項６８と同様の撮像装置。
【請求項７１】
前記画像が、前記管状本体内腔の長手方向軸に対して中心にある、請求項６３と同様の撮像装置。
【請求項７２】
約３００ナノメートル〜１ミリメートルの範囲内の波長を有する第１ＬＥＤを少なくとも備える、請求項５４に記載の撮像装置。
【請求項７３】
約３００ナノメートル〜１ミリメートルの範囲内であり、前記第１ＬＥＤとは異なる波長を有する第２ＬＥＤを少なくとも備える、請求項７２に記載の撮像装置。
【請求項７４】
前記波長が約３９０ナノメートル〜７００ナノメートルの範囲内である、請求項７２に記載の撮像装置。
【請求項７５】
頭蓋内出血の視覚化および接近装置であって、
近位端、遠位端、および中心内腔を規定する内壁を有する細長い管状本体と、
前記内壁によって保有される少なくとも１つの光源と、
前記光源から近位方向に反射した光からのまぶしさを抑えるための前記光源と前記近位端の間にある複数の光学バッフルとを備える、頭蓋内出血の視覚化および接近装置。
【請求項７６】
前記内壁によって保有される少なくとも４個の光源を備えている、請求項７５と同様の頭蓋内出血の視覚化および接近装置。
【請求項７７】
前記光源が、前記遠位端から前記管状本体の長さの約５０％以内に配置される、請求項７６と同様の頭蓋内出血の視覚化および接近装置。
【請求項７８】
前記光源がＬＥＤを含む、請求項７５と同様の頭蓋内出血の視覚化および接近装置。
【請求項７９】
前記光源が直角ＬＥＤを含む、請求項７８と同様の頭蓋内出血の視覚化および接近装置。
【請求項８０】
前記光学バッフルが、偏向格子を備える、請求項７５と同様の頭蓋内出血の視覚化および接近装置。
【請求項８１】
前記偏向格子が、前記光源によって保有される、請求項８０と同様の頭蓋内出血の視覚化および接近装置。
【請求項８２】
前記偏向格子が、前記センサに隣接して保有される、請求項８０と同様の頭蓋内出血の視覚化および接近装置。
【請求項８３】
前記光学バッフルが、前記内壁上に機械的な表面構造を含む、請求項７５と同様の頭蓋内出血の視覚化および接近装置。
【請求項８４】
前記機械的な表面構造が、複数の突起部を有する、請求項８４と同様の頭蓋内出血の視覚化および接近装置。
【請求項８５】
前記機械的な表面構造が、バネを含む、請求項８４と同様の頭蓋内出血の視覚化および接近装置。
【請求項８６】
前記機械的な表面構造が、表面テクスチャを含む、請求項８４と同様の頭蓋内出血の視覚化および接近装置。
【請求項８７】
術野に接近するためのカニューレシステムであって、前記カニューレは、
近位端および遠位端を有し、前記近位端から前記遠位端まで延びる内腔を有するカニューレ管を備えるカニューレと、
前記カニューレ管の遠位端に固定された光源と、
前記カニューレ管に沿って分散し、前記内腔に突出する複数のバッフルとを備える、カニューレシステム。
【請求項８８】
患者の脳内の血液塊に接近する方法であって、前記方法が、
近位端および遠位端を有し、前記近位端から前記遠位端まで延びる内腔を有するカニューレ管を備えるカニューレと、
前記カニューレの近位端に固定され、その一部が前記内腔に突き出ており、前記内腔を部分的に塞ぐカメラと、
近位端および遠位端を有するシャフトを備え、前記シャフトの遠位端に配置されるオブチュレータ先端部を備え、前記オブチュレータ先端部が光学的に透過性であり、近位表面およびテーパー状の遠位表面を有し、前記カニューレ管内をスライド可能であり、前記シャフトの近位端が前記カニューレ近位端から近位に延びているように前記カニューレ管内に配置可能であり、一方、前記テーパー状の遠位表面が、前記カニューレ遠位端から延びており、前記オブチュレータ先端部が、前記カニューレの遠位端に配置されるように、前記オブチュレータが前記カニューレ内にあり、前記テーパー状の遠位表面が、前記カニューレの遠位端から延びている、カニューレシステムを提供することと、
前記カニューレオブチュレータを前記脳に挿入し、前記カニューレ遠位端と前記オブチュレータ先端部を前記血液塊へと進めることと、
前記カニューレ遠位端と前記オブチュレータ先端部を前記脳内で進めつつ、ディスプレイ上で、前記先端部の近位表面の画像を見ることとを含む、方法。
【請求項８９】
前記血液塊が前記オブチュレータ先端部を通して見ることができるようになるまで、前記カニューレ遠位端および前記オブチュレータ先端部を前記脳内で進め、その後に、前記脳内に配置された前記カニューレを残しつつ、前記血液塊に近接する前記カニューレの遠位端を用い、前記オブチュレータを前記カニューレから取り出すことをさらに含む、請求項８７に記載の方法。
【請求項９０】
前記血液塊が前記オブチュレータ先端部を通して見ることができるようになるまで、第１軸に沿って前記カニューレ遠位端および前記オブチュレータ先端部を前記脳内で進め、その後に、前記カニューレおよび前記オブチュレータを傾け、前記脳組織が前記オブチュレータ先端部を通して見ることができるようになるまで、前記カニューレ遠位端および前記オブチュレータ先端部を、前記第１の接近に対して横方向に移動させ、前記血液塊の外側縁を決定することをさらに含む、請求項８７に記載の方法。
【請求項９１】
前記血液塊が前記オブチュレータ先端部を通して見ることができるようになるまで、第１軸に沿って前記カニューレ遠位端および前記オブチュレータ先端部を前記脳内で進め、その後に、前記脳組織が前記オブチュレータ先端部を通して見ることができるようになるまで、前記第１軸に沿って前記カニューレ遠位端および前記オブチュレータ先端部を前記脳内でさらに進め、前記血液塊の軸縁部を決定することをさらに含む、請求項８７に記載の方法。
【請求項９２】
患者の脳内の術野を撮像するための方法であって、
カニューレとカメラとを備える、術野に接近するためのカニューレシステムを提供し、
前記カニューレが、近位端および遠位端を有し、前記近位端から前記遠位端まで延びる内腔を有するカニューレ管を備え、
前記カメラが、前記カニューレの近位端に固定され、前記カメラが前記内腔または前記カニューレ管の内腔によって規定される円筒形の空間へと延びており、これらから延びている第１位置から、前記カメラが前記内腔または前記カニューレ管の内腔によって規定される円筒形の空間の外側に留まっている第２位置まで並進可能であるステップと、
前記カメラを前記第２位置に移動するステップと、
前記カニューレ内腔を通り、近位端および遠位端を有するオブチュレータを挿入するステップと、
前記カニューレの遠位端および前記オブチュレータの遠位端を前記患者の脳に挿入するステップと、
前記オブチュレータを取り出すステップと、
前記カメラを前記第１位置に移動するステップと、
前記カメラを操作し、前記術野の画像を得るステップとを含む、方法。
【請求項９３】
患者の脳内の術野を撮像するための方法であって、
術野に接近させるために、遠位端および近位端および中心内腔を有するカニューレ管を備えるカニューレを提供するステップと、
前記カニューレの近位端に移動可能に固定されたカメラを提供し、前記撮像システムが、
撮像センサと、
前記術野からの光を前記画像検出器に向かわせるためのプリズムとを備えるステップと、
術野に照射するために、前記カニューレの遠位端に固定された光源を提供するステップと、
オブチュレータを、前記カニューレ内腔を通って挿入するステップと、
前記カニューレおよび前記オブチュレータの遠位端を前記患者の脳内に挿入するステップと、
前記オブチュレータを取り出すステップと、
前記光源を点灯させるステップと、
前記カメラを、前記術野の像を得るように向けるステップと、
前記カメラを、前記術野の画像を得るように操作するステップとを含む、方法。
【請求項９４】
前記カメラが前記第１位置にある間に、手術器具を前記カニューレ管を通り、前記術野に挿入するステップをさらに含む、請求項９２に記載の方法。
【請求項９５】
前記カメラが前記術野の像を得るように向けられている間に、手術器具を前記カニューレ管を通り、前記術野に挿入するステップをさらに含む、請求項９２に記載の方法。
【請求項９６】
患者の脳内の血液塊に接近するためのカニューレシステムであって、前記カニューレシステムが、
近位端および遠位端を有し、前記近位端から前記遠位端まで延びる内腔を有するカニューレ管を備えるカニューレと、
前記カニューレの前記近位端に固定され、その一部が前記内腔に突き出ているカメラと、
近位端および遠位端を有するオブチュレータシャフトを備え、前記オブチュレータシャフトの遠位端に配置されるオブチュレータ先端部を備え、前記カニューレ管内をスライド可能であり、前記オブチュレータシャフトの前記近位端が前記カニューレ近位端から近位に延びているように前記カニューレ管内に配置可能であり、一方、オブチュレータ先端部が、カニューレ遠位端から外側に延びており、前記オブチュレータシャフトが、前記カニューレの内腔よりも小さな横断面を有する、オブチュレータとを備え、
前記内腔に突き出ている前記カメラの前記一部が、前記カニューレの近位端から近位に空間的に離れており、前記内腔に突き出ている前記カメラの前記一部が、前記内腔に突き出ている所定位置にある間に、前記オブチュレータ先端部が、前記カニューレ内腔を通るように構成される、方法。
【請求項９７】
前記オブチュレータ先端部が、透過性である、請求項９６に記載のカニューレシステム。
【発明の詳細な説明】
【技術分野】
【０００１】
後述の発明は、低侵襲脳手術の分野に関する。
【背景技術】
【０００２】
脳卒中は、死亡および障害を引き起こす神経疾患のよくある原因である。毎年、米国で約７０万人の患者が脳卒中に苦しんでいる。出血性脳卒中は、脳卒中の年間患者数の２０％を占める。出血性脳卒中は、脳内の血管破裂による脳組織への出血が原因であり、脳内血腫（血液塊）をもたらす。長期にわたる脳損傷を抑制または阻止するには、血液塊の迅速な摘出が必要である。
【０００３】
血液塊と周辺の術野を鮮明に視覚化および画像化することで、血液塊の摘出が容易になる。摘出および視覚化は、血腫部位付近の頭蓋骨に開けられた穴を通して配置されたカニューレおよびオブチュレータ組立体により実現される場合が多い。血腫部位は、コンピュータ断層撮影（Computed Tomography：ＣＴ）スキャンを用いて正確に特定されうる。
【０００４】
カニューレおよびオブチュレータ組立体を厳密に血腫に配置するのに役立てるべく、また、健康な脳組織を損傷する可能性が最も低い経路を通ってカニューレを挿入するのに役立てるべく、脳外科医は、高度かつ高価な定位固定手術システムまたはニューロナビゲーションシステムを用いる。これらのシステムは、以前に取得した磁気共鳴イメージング（Magnetic Resonance Imaging：ＭＲＩ）またはＣＴスキャンに左右されるが、スキャンは数時間前のものであるため、手術時点の血液塊の形状および位置を完全に反映しているわけではないと言える。これらのシステムにおいて、カニューレの遠位端が適切に配置されているかの目視確認は、オブチュレータをカニューレから抜いた後にのみ実現可能である。遠位端が正確に配置されていない場合は、オブチュレータを再度挿入しなければならず、オブチュレータを抜いた後、血液塊が見えるまで、おそらく繰り返しカニューレおよびオブチュレータ組立体を操作しなければならない。
【０００５】
このような高価なニューロナビゲーションシステムおよび定位固定システムが標準になる前に用いられ、このようなシステムが利用できないところで依然として用いられている、それほど高度ではない手法は、大規模な開頭術、血液塊の診査および直視探索、広範囲組織解剖、ならびに侵襲的計測を伴い、これらはすべて高い死亡率および罹患率と関係がある。
【発明の概要】
【０００６】
後述の装置および方法は、低侵襲手術中の脳の改良された視覚化を提供する。装置は、カニューレ内腔と、内腔の中および下にある組織の中を見る、カニューレの近位端に取り付けられたカメラを備えるカニューレを備えている。内腔の閉塞を最小限にしつつ、カメラでカニューレの中を見ることができるように、プリズム、リフレクタまたはその他の好適な光学素子は、カメラとカニューレの内腔との間を向いている。
【０００７】
カニューレ内腔と、内腔の中および下にある組織の中を見る、カニューレの近位端に取り付けられたカメラを備えるカニューレと、場合により、カメラによって得られる画像を表示するためのディスプレイとを備える装置は、透明または半透明の短く大きな直径の先端部を有する長く小さな断面のシャフトを備えるオブチュレータと共に使用することができる。内腔の閉塞を最小限にしつつ、カメラでオブチュレータ先端部を見ることができるように、プリズム、リフレクタまたはその他の好適な光学素子は、カメラとカニューレの内腔との間を向いている。組み立てられたカニューレ、カメラおよびオブチュレータは、組立体のための路を作るために脳の組織を穏やかに切除し、カニューレの遠位開口部を塞ぐ（閉塞させる）ために使用されるオブチュレータ先端部と共に、患者の脳に挿入されてもよい。小さな断面のオブチュレータシャフトは、カニューレの内径よりもかなり小さく、シャフトとカニューレ壁との間にかなりの大きさの環状または円形の空間が得られ、オブチュレータ先端部の近位表面の（カメラからの）良好な視認性を与える。光は、必要な場合、オブチュレータ先端部の遠位端およびカニューレの遠位端付近のカニューレまたは組織を照射するためにカニューレ内に与えられてもよい（その代わりに、組立体の外側の光源から光が与えられてもよく、またはカニューレの近位端に取り付けられた光から、または上述のいずれかの組み合わせから与えられてもよい）。オブチュレータ先端部の遠位表面付近の組織によって反射した光は、オブチュレータを通り、オブチュレータ先端部の近位表面から出て、その結果、組立体を挿入するか、または操作する脳外科医は、オブチュレータ先端部が、脳組織（白色から灰色である）付近にあるか、または血液（赤色から黒色である）付近にあるかを簡単に見ることができる。
【０００８】
それを可能にする接近システムおよび方法を、ニューロナビゲーションに付随するものとして使用し、特に、手術の目標が、カニューレを介する血液塊の除去である場合に、血腫に対する首尾良いナビゲーションを確認するのに役立つ。それを可能にするシステムおよび方法を使用し、血腫のおおよその位置が撮像からわかっている状況、または血腫のおおよその位置が、さらに小さなプローブを用いて解明しうる状況、または緊急手術の間に、ニューロナビゲーションシステムの代わりに、血液塊の位置を決めてもよい。
【図面の簡単な説明】
【０００９】
【図１】外科的介入を必要とする領域を有する患者の頭部を示す。
【図２】近位に取り付けられたカメラを備えるカニューレを示す。
【図３】近位に取り付けられたカメラを備えるカニューレの分解側面図である。
【図４】近位に取り付けられたカメラを備えるカニューレの上面図である。
【図５】トラック上を移動可能なカメラを備えるカニューレ光シールドの拡大側面図である。
【図６】近位に取り付けられたカメラを備えるカニューレのためのカメラの拡大側面図である。
【図７】図１の患者の組織塊への、近位に取り付けられたカメラを備えるオブチュレータおよびカニューレの挿入を示す。
【図８】図１の患者に低侵襲手術を行うための、近位に取り付けられたカメラを備えるカニューレの使用を示す。
【図９】カニューレ管へのカメラの簡単な接続および脱離を与えるカニューレのさらなる構造を示す。
【図１０】カメラがカニューレ管に固定されており、カニューレ管の内腔上の空間にオブチュレータが侵入した場合でさえ、オブチュレータがカメラの近くを通過するように改変されている、カメラおよびカニューレシステムを示す。
【図１１】カメラがカニューレ管に固定されており、カニューレ管の内腔上の空間にオブチュレータが侵入した場合でさえ、オブチュレータがカメラの近くを通過するように改変されている、カメラおよびカニューレシステムを示す。
【図１２】カニューレが脳に挿入されており、カニューレの遠位端が血液塊に近接しており、オブチュレータ先端部が血液塊内に延びている、外科的介入を必要とする血液塊を脳内に有する患者を示す。
【図１３】カニューレ、カメラおよびオブチュレータシステムを示す。
【図１４】カニューレの近位端にカメラ組立体が固定されたままでのオブチュレータの除去を示す。
【図１５】脳を通ってシステムを進めながらカメラによって得られる例示的な画像を示す。
【図１６】脳を通ってシステムを進めながらカメラによって得られる例示的な画像を示す。
【図１７】脳を通ってシステムを進めながらカメラによって得られる例示的な画像を示す。
【図１８】図１２のカニューレ、カメラおよびオブチュレータシステムと共に使用するためのオブチュレータ先端部を示す。
【図１９】図１２のカニューレ、カメラおよびオブチュレータシステムと共に使用するためのオブチュレータ先端部を示す。
【発明を実施するための形態】
【００１０】
図１は、外科的介入を必要とする脳３に血液塊２を有する患者１を示す。カニューレ４が脳に挿入されており、カニューレの遠位端が血液塊に近接している。カメラ５は、カニューレの近位縁に取り付けられており、カメラの一部がカニューレの縁に突き出ており（ｏｖｅｒｈａｎｇｉｎｇ）、カニューレの内腔の上に配置されており、カニューレの遠位端で血液塊またはその他の組織の映像または静止画を得るように操作可能である。
【００１１】
図２は、カニューレ４を詳細に示す。カニューレは、カニューレ管６を備えており、遠位端６ｄは、患者の体内への挿入に適合しており、近位端６ｐは、使用中、身体の外に留まる。カメラ５は、カニューレ管の近位端６ｐに取り付けられている。取付構造７は、カニューレの近位端に固定されている。カメラ（以下の図面に詳細に示される）は、プリズム、リフレクタまたはその他の鏡構造または光学素子を備えていてもよく、またはこれらと共に設置されていてもよく、カニューレ管の内腔８に突き出ている（ｏｖｅｒｈａｎｇｉｎｇ）。カメラが、カニューレ内腔と比較して小さい場合、カメラは、プリズムまたはリフレクタを用いずに使用されてもよく、カニューレの長軸に沿って整列した視軸を有するような方向を向いていてもよい。血液塊を良好に視覚化し、血液塊の画像を得るのに必要な光は、遠位開口部に、または遠位開口部に近接して、カニューレ管の遠位端６ｄに配置される光源９（ＬＥＤまたはその他の光源）によって与えられてもよい。その代わりに、光源は、カニューレ管の近位端に配置されていてもよく、光は、カニューレの開放内腔を通って伝わってもよく、または光ファイバー１０を通って伝わってもよく、またはカニューレが透明材料から作られる場合、光は、カニューレ管の壁を下向きに伝わり、カニューレ壁の遠位端を出て、血液塊に照射されてもよい。取付構造７のリング１１は、光が、近位に配置された光から直接的に発せられるか、または遠位に配置された光からカニューレ管を通るかによらず、近位の視座からの像からの光を遮断するためのシールドとして役立つ。光源が透過性のカニューレ管の近位端に配置される実施形態では、カニューレ管６からの光の発生によって術野を照射することができるように、カニューレ管の遠位部分６ｄが作られ、成型され、機械加工され、処理され、または他の様式で構成されてもよい。例えば、内側遠位表面および／または外側遠位表面は、これらの表面を通って光を発することができるように、研磨されるか、または艶消しされるか、または被覆されていてもよい。光源が、カニューレの遠位端の方に配置されている場合、光源を保持するカニューレ部分および光源に対して遠位のカニューレ部分は、術野にもっと多くの光を生じるように光学的に透過性であってもよく、一方、光源に近位のカニューレ部分は、不透明であってもよい。カメラおよび光源に電力を与え、画像データをカメラからディスプレイに運ぶためのケーブルが与えられてもよく、または装置は、装置上に配置された電池によって電力が与えられてもよく、画像データは、ディスプレイに無線で送られてもよい。
【００１２】
図３は、カメラ５がカニューレ管の近位縁に配置され、プリズムまたはリフレクタ１２がカニューレの内腔８に突き出ている（ｏｖｅｒｈａｎｇｉｎｇ）、カニューレ４の分解側面図である。図４は、近位に取り付けられたカメラ５を備えるカニューレ４の上面図を示す。図３は、術野（例えば、血液塊２）に光を発するために、カニューレ管の遠位端６Ｐ上に、またはその付近に配置されたＬＥＤ９も示す。
【００１３】
カメラは、プリズムまたはリフレクタ１２が、カメラを半径方向にスライドさせ、枢着点の周囲でカメラをひっくり返すことによって、またはカメラ取付構造からカメラを全体的に取り外すことによって、その突き出ている（ｏｖｅｒｈａｎｇｉｎｇ）位置から取り外しうるように、取付構造内に取り付けられていてもよい。図５は、カメラ５を取付構造７に対してスライドする連結と、待機位置１３Ｓから使用位置１３Ａへのカメラの移動を示す。カメラ５は、使用位置１３Ａでは、プリズム／リフレクタ１２が、内腔８によって規定され、内腔８から延びる円筒形の空間１４内に部分的または完全に延びており、手術を行うために内腔８を用いる小さな直径の手術器具（例えば、アスピレータまたはマセレータ）に対する妨害を最小限にしつつ、カニューレ管の遠位開口部で手術部位を塞がれずに見られる。カメラ５を光シールド７に移動可能に接続するための任意の好適な技術を使用してもよい。例えば、カメラは、トラック（例えば、トラック１５）にスライド可能に接続していてもよく、この場合、トラック１５は、カメラ５を光シールドに固定し、カメラ／プリズム組立体を、待機位置１３Ｓと使用位置１３Ａとの間で半径方向に移動させ、元に戻すことができる（すなわち、プリズムが内腔８またはカニューレ管の内腔によって規定される円筒形の空間１４へと延びている第１位置から、プリズムが内腔８またはカニューレ管の内腔によって規定される円筒形の空間１４の外側に留まっている第２位置まで）。カメラは、１６にある枢着点で接続されていてもよく、その結果、カメラの軸がカニューレ管の長軸に対して垂直であるか、または実質的に垂直である第１位置から、プリズムがカニューレ管の内腔の想像上の伸長部によって規定される円筒形の空間１４の外側に留まっている、長軸について角度が付けられた第２位置まで、管に回転可能に接続している。カメラは、カメラと取付構造のチャンネル、またはその他の好適な取り外し可能な連結手段との間の摩擦嵌合または戻り止め配置を用い、取付構造に対して取り外し可能に接続していてもよい（すなわち、外科的処置の間、道具を使用することなく、手で容易に接続し、脱離しうる）。
【００１４】
図６は、カメラ５の拡大側面図である。カメラ５は、プリズムまたはリフレクタ１２と、１つ以上のレンズ１７（アクロマティックレンズまたはその他のダブレットを含んでいてもよい）と、撮像装置１８と、制御システム１９とを備えている（システムのカメラ構成部品で提供される場合）。レンズ１７は、さらなる光学構成部品を備える光学組立体の一部であってもよい。撮像装置１８は、任意の好適な画像センサ、例えば、ＣＣＤセンサまたはＣＭＯＳセンサであってもよい。制御システム１９は、コントローラ、データ処理構成部品およびトランスミッタ、例えば、カメラを制御し、カメラからのデータを送信するためのコントローラおよびトランスミッタを備えていてもよい（データ出力システムは、装置の外に配置されていてもよい）。好適なケーブルまたは無線トランスミッタを使用し、カメラをディスプレイシステムおよび電源に接続してもよい。撮像センサは、撮像面によって特徴付けられ、プリズムは、撮像面に対して平行に向かう光を、撮像面の方に向かわせるように、撮像面と整列している。示されているように、撮像面は、カニューレ管の長軸と平行であり、プリズム／リフレクタは、撮像面に対して垂直な線に沿って配置されており、術野からの光が撮像面の上のカニューレ管の遠位端に向かうように向けられている。
【００１５】
示されている実施形態では、中心長手方向軸２０Ｌは、管状本体の長さ全体で同軸に延びている。撮像センサは、センサ表面に対して垂直に延び、プリズムの半径方向に面する表面と交差する撮像センサ軸（第１視軸）２０Ｓを有する。示されているように、中心長手方向軸と撮像センサ軸は、約９０°の角度で交差する。代替的な構成では、この角度は、約７０°〜１１０°の範囲内であり、または約８５°〜９５°の範囲内である。この角度は、所望な構成に応じて、９０°より大きくてもよく、または９０°より小さくてもよい。
【００１６】
本明細書に開示するいずれかの実施形態では、プリズム視軸２０Ｐ（第２視軸、プリズムからカニューレの遠位端まで、カニューレを通る視線である）は、プリズムの遠位表面と交差し、標的組織に向かって、管状本体を通って遠位に軸方向に延びている。いくつかの実施では、プリズム視軸は、カニューレのほぼ遠位端で、またはカニューレの遠位端から約４ｃｍ以内、または約２ｃｍ以内、またはもっと短い距離でカニューレの中心長手方向軸と交差する。プリズムは、内腔の内径の約２５％以下、一般的には、内腔の内径の約１５％以下または約１０％以下、またはもっと少なく、カニューレ内腔に突き出ている（ｏｖｅｒｈａｎｇｓ）。この理由のために、第２視軸は、典型的には、中心長手方向軸に対し、ある角度で存在している。使用するプリズムの種類に依存して、プリズム視角は、プリズムの遠位光学面に対して垂直であってもよく（反射性の場合、例えば、長い表面がルーフとして使用される、図に示される直角プリズム）、プリズムは、所望の点（例えば、カニューレの遠位端でのカニューレの中心長手方向軸との交差点）でのプリズム視軸を目的とするために、遠位光学面がカニューレの横断面に対してわずかに傾いているように、カニューレ内腔の上に配置されていてもよい。視角が遠位光学面に対して垂直ではない、その他の反射性プリズムおよび偏光プリズムの場合、遠位光学面は、適切な場合、カニューレの遠位端でのカニューレの中心長手方向軸との交差点などの所望な点でのプリズム視軸を目的とするために、角度が付けられていてもよい。カニューレの遠位端からの光を撮像センサの方に反射させるか、または位置を変えるように操作可能な、ペンタプリズム、ハーフペンタプリズム（光がプリズム視軸から４５°曲がり、撮像センサ視軸は、プリズム視軸またはカニューレ長手方向軸に対して約４５°に配置されていてもよい、非反転プリズムおよび非逆転プリズム）、Ｓｃｈｍｉｄｔプリズム（光がプリズム視軸から４５°曲がり、撮像センサ視軸が、プリズム視軸またはカニューレ長手方向軸に対して約４５°に配置されていてもよい、反転プリズムおよび逆転プリズム）、Ｐｏｒｒｏプリズム（プリズムに入る光を、相殺するが平行な経路に変え、撮像センサ視軸が、プリズム視軸またはカニューレ長手方向軸に平行であるが、これらに対して半径方向に位置が変えられていてもよい、反転プリズムおよび逆転プリズム）、またはその他のプリズム、またはプリズムの組み合わせまたは構成（および例えば、Ａｍｉｃｉ／Ｐｅｎｔａプリズムの組み合わせ、または遠位に面する長い表面と共に配置され、直角面が、画像をプリズム視軸に対して平行ではない経路に沿って再び向きを変えさせるための反射面として機能し、場合により、画像を、平行であるが相殺する経路の方に向きを変えさせるための第２直角プリズムと対にした、直角プリズム、またはＢａｕｅｒｆｅｉｎｄプリズム）を含む種々の形態のプリズムを使用してもよい。
【００１７】
カニューレ管の遠位端に配置された光によって照射が与えられる実施形態では、カニューレ管の内壁にバッフルを与えることによって、カニューレ管の内壁からの生じるまぶしさおよび反射を最小化することができる。バッフルは、管の長さに沿って分散する、内壁にわずかに突出する突起部を有していてもよい。好ましくは、突起部は、管の近位端の方に向かって、より密に配置され、管の遠位端の方に向かって、相対的にさらに広く空間的に離れているように、漸進的に空間的に離れている。いくつかのこのような突起部が図３に示されており、項目２１として印が付けられている。突起部は、任意の形態で与えられていてもよく、カニューレ管６と一体化していてもよく（例えば、成型中に作られる）、またはカニューレ管の内壁に接着または融合していてもよく、突起部は、管に挿入されるか、または管の内壁に融合するコイルの巻き部分、または編組の巻き部分を備えていてもよく、コイルまたは編組は、遠位に配置された光または遠位に配置されたカメラまたはセンサと関連する電力ケーブルまたはデータケーブルを備えていてもよい。
【００１８】
図７および図８に示されるように、脳外科医は、カニューレの遠位端６ｄが、手術対象組織２に十分に近くなるまで、オブチュレータ２２を備えるカニューレ４を患者の脳に挿入する。次いで、脳外科医は、カニューレ４を使用し、術野への接近、照射および視認を与えることができるように、オブチュレータ２２を取り外す。次いで、脳外科医は、カメラ５を移動し、その構成に応じて、内腔の上にプリズムを配置するように、待機位置からシフトさせ、回転させ、または動かす。必要な場合、脳外科医は、術野の像を得るように撮像システムを向ける。カメラが所定の場所にきたら、脳外科医は、カメラを操作し、術野の画像を得る。カメラ５からの画像データがディスプレイ２３に送信され、内腔８を介して得られる術野の１つ以上の画像２４を与える。画像は、静止画（写真）および映像を含んでいてもよい。カメラを配置した後、脳外科医は、カメラの一部を内腔８または内腔の上の空間１４の中に配置しつつ、手術器具または手術器具の遠位端をカニューレの内腔に通してもよい。
【００１９】
図９は、カニューレ管６に対するカメラ５の容易な連結および脱離を与えるカニューレ４のさらなる構造を示す。カメラは、取付構造２５に固定され、取付構造は、カニューレ管に取り外し可能に接続可能である。取付構造は、リングを備えており、これは、以前の図に示される取付構造とリングの組み合わせと似ており（項目７および１１）、リングの内側に第１ロッキング要素（例えば溝２６）を有し、カニューレ管の近位端は、取付構造の溝にぴったり適合するような大きさおよび寸法の第２の相補的なロッキング機構（例えばフランジ２７）を備えている。取付構造は、所望な場合、カニューレ管の近位端にカメラを配置するためにカニューレの上に嵌められていてもよく、プリズムは、カニューレ管の壁に突き出て（ｏｖｅｒｈａｎｇｉｎｇ）、内腔８の上に配置されている。取付構造は、取り外し可能に接続され、道具を用いることなく、外科的処置中に手で容易に接続され、脱離されてもよい。取付構造とカニューレ管の外壁または内壁との間の摩擦嵌合、または磁気接続（カニューレ管の近位端と取付構造における対になった磁石）、またはスナップ嵌め、または取付構造とカニューレ近位端との間の戻り止め配置、またはネジ山嵌め（取付構造およびカニューレ近位端に対して相補的な内側および外側のネジ山、またはその逆を有する）、または取付構造およびカニューレ近位端に対して相補的なスロットおよびピン、またはその逆を有するバヨネット取付部を含む、その他の取り外し可能な連結手段を使用してもよい。
【００２０】
また、図９は、図３に示すバッフルの代替的な実施形態を示す。図９では、バッフルは、コイルの巻き部分２８を含む。また、バッフルは、編組を含んでいてもよい。コイルまたは編組は、カニューレ管の遠位先端部に配置された光またはカニューレ管の遠位先端部に配置されたセンサに電力を運ぶために必要な電線も備えていてもよく、このような遠位に取り付けられたセンサから、このセンサに関連する制御システムまたはディスプレイシステムにデータを送信するために必要なデータケーブルも備えていてもよい。
【００２１】
図１０および図１１は、カメラ５がカニューレ管６に固定され（すなわち、取り外し可能に接続されてはおらず）、オブチュレータ２２が、カニューレ管の内腔上の空間にオブチュレータが侵入した場合でさえ、オブチュレータがカメラの近くを通過するように改変されている、カメラおよびカニューレシステムを示す。図１０では、オブチュレータ２２は、その長さ全体で本質的に等直径であり、その長さに沿って延びる溝２９を有している（カニューレ管内に配置される部分）。溝は、カニューレ管の内腔に突き出ている（ｏｖｅｒｈａｎｇｓ）プリズムを収容するような大きさおよび寸法である。この構成では、オブチュレータは、カニューレ管の中に挿入することができ、組み立てられたカニューレおよびオブチュレータを脳内で押すことができ、カニューレが所定の場所にある間は、カニューレ管に固定することができる。図１０では、オブチュレータ２２は、カニューレ管の内径とほぼ同じ直径を有する大きな直径の遠位部分２２ｄと、カニューレ管の内腔内に容易に適合する小さな直径のロッド３０とを有する。カメラは、パイロンまたはポスト３１で支えられている。ポストは、オブチュレータの大きな直径の部分２２ｄの長さと比較して、カニューレ管の近位開口部から十分な距離だけ離れた位置にカメラを保持し、その結果、オブチュレータは、カメラを移動する必要なく、オブチュレータの大きな直径の部分２２ｄを内腔に挿入するために、傾けられてもよく、または曲げられてもよい。
【００２２】
図１２〜１９は、図１１に示されるのと類似のカニューレおよびカメラシステムを用いたカニューレ、カメラおよびオブチュレータシステムを示し、脳外科医が、組み立てられたカニューレおよびオブチュレータを脳に挿入しつつ、オブチュレータ先端部の下にある組織を見ることができる透過性オブチュレータ先端部を備えている。
【００２３】
図１２は、外科的介入が必要な脳３に血液塊２を有する患者１を示し、カニューレ４が脳に挿入されており、カニューレの遠位端が血液塊に近接している。カメラ５は、カニューレの近位縁に取り付けられており、カメラの一部がカニューレの縁に突き出ており（ｏｖｅｒｈａｎｇｉｎｇ）、カニューレの内腔の上に配置されており、カニューレ内腔の遠位端の映像または静止画を得るように操作可能であり、この映像または静止画は、カニューレ内のオブチュレータ先端部の画像、またはカニューレの遠位端での血液塊、脳組織、脳脊髄液（ＣＳＦ）またはその他の組織の画像を含んでいてもよい。図１２および図１３両方に示されるように、カニューレは、カニューレ管６を備えており、カメラ５と、１つ以上の光源と、取付構造７が、カニューレの近位端に固定されている。カメラは、プリズム、リフレクタまたはその他の鏡構造または光学素子を備えており、カニューレ管の内腔８に突き出ている（ｏｖｅｒｈａｎｇｉｎｇ）。カメラは、カニューレの近位端に永久的に固定されていてもよく（道具を用いることなく、または破壊的な分解を行うことなく、手術中に容易に取り外すことができないことを意味する）、またはカニューレの近位端に取り外し可能に接続していてもよい（特殊な道具を用いることなく、または破壊的な分解を行うことなく、手術中に容易に接続し、脱離することができることを意味する）。カメラ組立体の一部（例えば、プリズム、リフレクタまたは鏡）は、カニューレ管の内腔によって規定される円筒形の空間１４へと延びており、オブチュレータ先端部が、カメラ組立体の近位の空間および円筒形の空間１４へのカメラ組立体構成部品の侵入に対する大きさおよび寸法を有する場合、カメラ組立体構成部品が侵入し、カニューレ近位端に押し出されるのを避けるように傾斜していてもよいように、カニューレの近位端を超えて近位に延びており、カニューレの近位端から空間的に離れており、円筒形の空間１４内に少しだけ延びている（内腔の内径の約２５％以下まで、好ましくは、内腔の内径の約１５％以下、または１０％以下）。カメラは、単純な焦点調節手段（例えば、撮像センサを半径方向に内側または外側に移動させ、カメラの焦点を、カニューレ内またはカニューレの遠位端を超えた異なる深さに調節するための手で操作可能なつまみネジまたはスライド可能なポスト３２）を備えていてもよい。
【００２４】
血液塊を良好に視覚化し、血液塊の画像を得るのに必要な光は、遠位開口部に、または遠位開口部に近接して、カニューレ管の遠位端６ｄに配置される光源９（図１３に示される、ＬＥＤまたはその他の光源）によって与えられてもよい。カニューレ自体は、好ましくは不透明であり、非反射性であり、または反射防止性コーティングで被覆されている。その代わりに、ＬＥＤは、カニューレ管の近位端に配置されていてもよく、光は、光ファイバーを通って伝わってもよく、またはカニューレが透明材料から作られる場合、光は、カニューレ管の壁を下向きに伝わり、カニューレ壁の遠位端を出て、血液塊に照射されてもよい。取付構造７のリング１１は、光が、近位に配置された光から直接的に発せられるか、または遠位に配置された光からカニューレ管を通る（透明な場合）かによらず、近位の視座からの像からの光を遮断するためのシールドとして役立つだろう。カメラが、その視軸がカニューレの長軸に対して垂直になるように取り付けられなければならないほど大きい場合、カニューレの内腔８に突き出ている（ｏｖｅｒｈａｎｇｉｎｇ）プリズム、リフレクタまたは鏡１２によって、カメラは、カニューレ管の長軸の下側を見ることができる。光源がカニューレ管の近位端に配置される実施形態では、カニューレ管６からの光の発生によって術野を照射することができるように、カニューレ管の遠位部分６ｄが作られ、成型され、機械加工され、処理され、または他の様式で構成されてもよい。例えば、内側遠位表面および／または外側遠位表面は、これらの表面を通って光を発することができるように、研磨されるか、または艶消しされていてもよい。カメラおよび光源に電力を与え、画像データをカメラからディスプレイに運ぶためのケーブルが与えられてもよく、または装置は、装置上に配置された電池によって電力が与えられてもよく、画像データは、ディスプレイに無線で送られてもよい。
【００２５】
図１３は、オブチュレータ３３も示す。オブチュレータは、オブチュレータ先端部３４と、シャフト３５と、ハンドル３６と、取付構造３７とを備える。オブチュレータ先端部は、円錐形の凸状遠位表面３４ｄと、円錐形の凸状近位表面３４ｐと、軸方向に短い円周表面３４ｃとを有する中実構造である。先端部は、円周表面の領域では、直径（カニューレの長軸に垂直な面に沿って、カニューレの横断面に対応する横径）を有し、カニューレの内径に密に適合するが、カニューレの内腔を通る先端部の容易な長手方向の並進を可能にする。先端部は、図１３に示されるように構成されるが、レンズとして作用し、その結果、光線（矢印３８によって表される）は、先端部を通って反射し、先端部を通る任意の「画像」が、示されているように形成されるとき、反転しうるように曲がる。先端部は、直線的な長手方向の断面を有していてもよく、示されているように、中心円筒形部分と遠位円錐形部分と近位円錐形部分とを備えていてもよく、またはもっと丸みを帯びた断面を有していてもよい。この図に示されている形状は、２つの末端を有する円錐形回転楕円体として記載されていてもよいが、先端部は、球、回転楕円体、偏長の回転楕円体（フットボール、ラグビーボール）および扁平な回転楕円体、またはオーバル（卵形）であってもよい。遠位のテーパーは、好ましくは、脳内で使用するのに好ましい鋭くとがった先端部で終わっているが、鈍い形状または丸みを帯びた先端部で終わっていてもよい。遠位表面および近位表面は、長手方向軸に対して対称形である必要はなく、または横軸に対して対称形である必要はない。例えば、遠位表面は、直線的な断面を有しつつ、とがっていてもよく、一方、近位表面は、とがっているか、丸みを帯びているか、または平坦である。
【００２６】
オブチュレータ先端部は、光学的に透過性であってもよく、光学的に不透明ではなくてもよく、光学的に透明または光学的に半透明であってもよい。先端部の透明性は、可視光スペクトルにおいて、遠位表面と接触する組織の色を通過させるために、光源によって与えられる照射の輝度が与えられるとき、先端部周囲の組織の色を、先端部の近位表面を通って伝わる光から識別することができるようにカメラおよび／または脳外科医の眼に十分な透過光を与えるために十分なだけ必要である。先端部は、ガラス、シリカ、アクリル樹脂、ポリカーボネート、シリコーン、ナイロン、ポリアミドまたはコポリマー、または医療装置に使用するのに好適な任意のその他の材料から作られてもよい。オブチュレータ先端部表面は、研磨されていてもよく、または艶消しされていてもよい。オブチュレータ先端部は、場合により、先端部を放射線不透過性にするために、放射線不透過性の物質（元素または化合物、例えば、白金粒子）を含んでいてもよく、その結果、手術中の蛍光透視法下で明瞭に見える。オブチュレータ先端部は、場合により、血液塊またはＣＳＦを検出し、これらを周囲の脳組織から区別するのに役立つように、センサ（例えば、ｐＨセンサ、インピーダンスセンサ、力センサ、糖センサなど）を備えていてもよい。
【００２７】
先端部の近位表面は、近位方向に小さな直径に向かってテーパー形状になっており、オブチュレータがその他の装置のための隙間を作るために取り外されなければならない場合に、先端部の鮮明性も与える。図１４に示されるように、凸状表面によって、カメラからの鮮明性が可能になり、オブチュレータシャフトがカニューレの長手方向軸から離れるようにわずかに傾いており、その結果、オブチュレータの取り外しが、カメラ組立体の突き出ている（ｏｖｅｒｈａｎｇｉｎｇ）プリズムによって妨害されない。
【００２８】
シャフト３５は、カニューレ内腔と比較して、小さな直径または横断面を有する中実のロッドまたは管であってもよく、その結果、先端部の近位表面を、カニューレ管の近位端から見ることができる。管として与えられる場合、シャフトの内腔は、脳への組立体の誘導に有用な、ニューロナビゲーションシステムによって検出可能な受動的なマーカと共に、ニューロナビゲーションのスタイレットまたはプローブ３９を収容してもよい。ニューロナビゲーションスタイレットのロッド４０は、図示されているように、管状シャフトの内腔に挿入されてもよく、その結果、組み立てられたカニューレ、オブチュレータおよびスタイレットは、組立体の遠位先端部の正確な位置を補助するためのフレーム４２上のマーカ４１の追跡によって、ニューロナビゲーションシステムによって追跡されてもよい。シャフト３５は、ニューロスターバースト接続も収容してもよい。先端部の近位表面をカニューレ管の近位端から見ることができるように、シャフト横断面がカニューレ内径と比較して小さい限り、シャフトは、円形である必要はなく、四角形または卵形の断面を有していてもよい。または、シャフトは、外径がカニューレの内径と非常に適合するハーフパイプを備えていてもよく、ハーフパイプは、カメラ組立体の反対側に整列し、カニューレ内腔の大部分を、カニューレの近位端からの先端部の視覚化のために鮮明なまま残す。
【００２９】
オブチュレータ取付構造３７は、依存的リム４３を備えており、支柱４５、またはカメラ取付部またはカニューレの縁またはその他の構成部品のその他の構造の上で摩擦嵌合するような大きさの鍵溝４４（図１４を参照）を有している。任意のその他の好適な噛合手段、例えば、カニューレ内のノッチと取付構造内の適合するレール、またはカニューレ中の穴または円周チャンネルに適合する取付構造の依存的ピンまたはリムを使用してもよい。噛合手段は、好ましくは、カニューレに対するオブチュレータの長手方向の移動を制限するのにも役立ち、その結果、噛合手段がカニューレに固定されている場合、オブチュレータ遠位表面は、カニューレの遠位端から突出している。外科医が、組立体の近位端上の構造に対し、先端部を介して識別可能な特徴の位置を特定するのに役立つように、先端部に対する指標基準を与えることが望ましい場合、噛合手段（例えば、鍵溝またはノッチ）は、先端部の回転位置を登録するための手段としても役立つ。
【００３０】
カメラ５は、プリズム１２と、１つ以上のレンズ１７（アクロマティックレンズまたはその他のダブレットを含んでいてもよい）と、撮像装置１８と、制御システム１９とを備えている（システムのカメラ構成部品で提供される場合）。レンズ１７は、さらなる光学構成部品を備える光学組立体の一部であってもよい。（例えば、細隙の開口部が、プリズムとセンサとの間、好ましくは、プリズムとレンズとの間の光路に配置されていてもよい。このことは、プリズムの近位端に、約１．０〜２．０ｍｍの範囲内、一実施形態では、約１．５ｍｍの直径を有する開口部を含むシートを取り付けるか、またはマスクを適用することによって達成されてもよい。）撮像装置１８は、任意の好適な画像センサ、例えば、ＣＣＤセンサまたはＣＭＯＳセンサであってもよい。制御システム１９は、コントローラ、データ処理構成部品およびトランスミッタ、例えば、カメラを制御し、カメラからのデータを送信するためのコントローラおよびトランスミッタを備えていてもよい（データ出力システムは、装置の外に配置されていてもよい）。好適なケーブルまたは無線トランスミッタを使用し、カメラをディスプレイシステムおよび電源に接続してもよい。撮像センサは、撮像面によって特徴付けられ、プリズムは、撮像面に対して実質的に平行に、または平行ではない角度でカニューレ内腔を通って進む光線を、撮像面の方に向かわせるように、撮像面と整列している。示されているように、撮像面は、カニューレ管の長軸と平行であり、プリズムは、撮像面に対して垂直な線に沿って配置されており、術野からの光が撮像面の上のカニューレ管の遠位端に向かうように向けられている。
【００３１】
図１４は、カメラ組立体がカニューレの近位端に固定されたままでのオブチュレータの取り外しを示す。図１４に示すように、カメラ／プリズム組立体が所定位置にあり、カニューレの内腔に突き出ている（ｏｖｅｒｈａｎｇｉｎｇ）間に、先端部のテーパー形状の近位表面によって、オブチュレータを取り外すことができる。オブチュレータを、単純に、カメラおよびプリズムがはっきり見えるように、カニューレの長軸から離れるように傾けてもよい。先端部の近位表面がテーパー形状ではない場合、カメラ組立体は、オブチュレータの除去を可能にするために、内腔の上の円筒形の空間がはっきり見えるように、一時的に除去されてもよい。
【００３２】
図１３に示すように、脳外科医は、カニューレの遠位端６ｄが手術対象組織２に十分に近づくまで、オブチュレータ３３を備えるカニューレ４を患者の脳に挿入する。カニューレおよびオブチュレータを挿入している間、脳外科医は、カメラおよび制御システムを操作し、カニューレ内腔およびカニューレの遠位端にある構造の画像をディスプレイに表示する。カメラ５からの画像データがディスプレイ５０に送信され、内腔８を通るカニューレの遠位端にある構造およびオブチュレータ先端部の近位表面の１つ以上の画像５１を与える。ディスプレイは、カメラからの画像データを受信し、画像データをディスプレイに送信し、ディスプレイにさらなる画像（例えば、マーカ、カーソルおよび患者データの指標）も追加するように操作可能な制御システムによって操作されてもよい。カニューレ内腔が大きい場合には、脳外科医は、オブチュレータ先端部の遠位表面に近接する脳または血液を見るために、オブチュレータ先端部の近位表面を直接見てもよい。
【００３３】
図１５、図１６および図１７は、脳を通ってシステムを進めながらカメラによって得られる例示的な画像を示す。これらの図は、脳を通って、血液塊に向かい、カニューレの遠位縁から遠位に延びるオブチュレータの遠位表面と共にカニューレ内に配置されている間に、オブチュレータの遠位先端部を押しながら脳外科医が何を見うるかの例示的な描写である。これらの画像は、健康な脳組織の層の下にある、脳内でやや深いところにある血液塊に向かう挿入に対応する。脳に最初に挿入すると、先端部が健康な脳組織を通っている間、脳外科医は、健康な脳組織の「画像」を見るだろう。これは、白色またはオフホワイト色（象牙色、骨色、亜麻糸などの種々の色合い）に見える。各画像は、オブチュレータシャフト３５およびオブチュレータ先端部近位表面３４ｐと、カニューレ壁表面５３の一部の画像を含む。この画像は、先端部近位表面の外側周辺部分の周囲に、リング５４または部分的なリングとして見えるだろう。マーカ５５は、カニューレまたはオブチュレータまたはカメラに対する所定の位置に対する指標に対応しており、指標を含む場合または含まない場合があるが、脳外科医に、カニューレおよびオブチュレータの位置に対する表示された画像の関係を知らせるために、操作ソフトウェアによってディスプレイに挿入されてもよい。指標は、例えば、カメラの円周方向での位置であってもよく、マーカは、カメラとは反対の位置にディスプレイ上に付与されてもよい（これが示されている構成である）が、マーカは、指標に対する任意の所定の関係で、ディスプレイ上に付与されてもよい。指標は、カニューレまたはオブチュレータの任意の特徴であってもよい。これらの特徴が、図１５、図１６および図１７に示されている。これらの図で見ることができるさらなる特徴は、画像リング５４の内側の明るいリング５６と、オブチュレータシャフトをオブチュレータ先端部に固定するために使用されるエポキシリング５７を含む。
【００３４】
最初に挿入すると、先端部が、血液塊の上にある健康な脳組織に入るにつれて、リング５４は、白色に見えるだろう。また、脳外科医は、白色（脳の色）に見える脳組織の「画像」を見るだろう。先端部が血液塊に入るにつれて、リング５４は赤色になり、脳外科医は、血液の赤色または黒色に見える血液塊の「画像」を見るだろう。これを図１６に示す。先端部が、血液塊の境界に配置されると、「画像」は、白色（脳の色）である円周部分と、赤色または黒色（血の色）である円周部分と、先端部と脳組織との間の血液の厚さに依存して、両方の種々の色合いとを含むだろう（例えば、血液塊の境界付近の先端部の遠位表面の円周領域では、先端部の近位表面を通って送信された対応する画像は、桃色がかっているか、または血液と脳の色合いの混合であろう。脳外科医は、血液塊に入った後（図１６と同様の画像によって示される）、脳組織の画像が、先端部の近位表面から再び見えるまで（図１５と同様の画像によって示される）、先端部をさらに脳内に押すことによって、血液塊の遠位境界（カニューレおよび頭蓋骨内の挿入点に対する）を決定することができる。脳外科医は、組み立てられたカニューレおよびオブチュレータを傾けることによって、血液塊の横方向の範囲（すなわち、カニューレの長軸に垂直な軸に沿った幅）を決定し、脳組織の画像がリング５４の片側で見ることができるようになるまで、先端部を横方向に移動させてもよい。これは図１７に示される。画像は、図１２および図１３に示されるように構築された先端部によって反転されうるが、ディスプレイシステムによって反転してもよく、プリズム／リフレクタ１２として与えられる逆転プリズムまたは逆転／反転プリズムによって逆転してもよい。図１７に示すように、基準マーカ５８またはその他の指標は、オブチュレータ先端部の近位表面または遠位表面に付与されてもよい。この基準マーカが脳外科医によって使用され、カメラ視軸に対するオブチュレータの角度方向を決定し、および／または画像が反転せずに表示される（オブチュレータ先端部のレンズ効果の結果として、表示される画像は、実際に、その下にある組織の反転した画像である）か、またはその下にある組織構造に対応するように、反転して表示される（オブチュレータ先端部のレンズ効果の結果として反転した後に、画像は、画像が制御システムによって反転した後に得られる適切な画像である）ことを確認してもよい。制御システムは、オブチュレータ先端部の近位表面の検出された画像中の基準マーカの有無を判定し、基準マーカを検出したら、検出された画像に対して反転した提示画像を作成し、提示画像をディスプレイ上で提示し、または検出された画像中に基準マーカが見えないことを判定したら、検出された画像に対して反転していない提示画像を作成するように操作可能なようにプログラミングされてもよい。近位表面の画像が制御システムによって反転している場合、近位表面の反転画像と共に、反転画像中の基準マーカを、表示されている画像が反転していることを脳外科医に示すために表示し、ディスプレイ上の左、右、上、下が、カニューレに対して左、右、上、下に対応するように、カメラ視軸の方に向ける。示されている例では、基準マーカは、非対称な文字Ｂであり、その結果、反転が明らかである。基準マーカは、制御システムによって認識可能な任意の形態をしていてもよく（例えば、バーコード、または独特のドットアレイ）、好ましくは非対称である。基準マーカは、制御システムによっても使用されてもよく、オブチュレータ取付部と組み合わせる場合、基準マーカは、カメラに対して所定の関係で配置され、捕捉された画像の向きを判定し、表示された画像が、カニューレシステムの構造的特徴に対応するように表示された画像を回転させ、それにより、表示された画像を外科医が適切に解釈するのに役立つ。
［００２０Ｂ］オブチュレータ先端部は、オブチュレータ先端部を用い、いくつかの長手方向に延びる光学的に不透明な構造をその他の光学的に透過性の先端部の中に与えることによって、またはいくつかの光学的に透過性の長手方向に延びる構造を、その他の光学的に不透明な先端部の中に与えることによって、全体的に光学的に透過性の先端を含み、これを介して、遠位表面からの光が、光学的に透過性の構造を通って伝わり（したがって、図１〜３の単一部品構造の反転を避ける）、画像の反転を避けるような構成であってもよい。これを図１８に示し、図１８は、オブチュレータ先端部３４を示し、複数の光透過性要素５９が、円周表面３４ｃに沿って、遠位表面３４ｄから、オブチュレータ先端部の近位表面３４ｐまで長手方向に延びている。これらの要素は、遠位表面３４ｄから、オブチュレータ先端部の近位表面３４ｐまで長手方向に延びる、長手方向に不透明の要素６０によって分離されていてもよく、またはこれらの要素は、全体的な画像を反転することなく、各光透過性要素が、遠位表面からの光を近位表面に伝える、隣接する別個の不透明の要素のすぐ横に隣接して配置される別個の要素であってもよい。光透過性要素は、図示されるように、円周表面の外表面まで延びていてもよく、または、光透過性要素は、円周表面の下に埋め込まれていてもよい。図１９は、オブチュレータ先端部３４の別の反転していない構成を示す。このオブチュレータ先端部は、図１３に示される円錐形の凸状近位表面３４ｐを有さず、円錐形の凸状遠位表面３４ｄと、軸方向に短い円周表面３４ｃとを有し、円周表面の長手方向領域では、近位表面に、遠位表面の方に向かうオブチュレータ先端部の近位の範囲から延びる環状の溝６１を周囲壁部分３４ｗの間に備え、先端部の遠位部分から延びるソケットまたはホーゼル６２を備え、ソケットまたはホーゼル６２には、中にオブチュレータシャフト（図１３の項目３５）が挿入されるボア６３が設けられる。
【００３５】
本明細書に開示されるいずれかの実施形態では、管状本体には、少なくとも約４個の光源が設けられていてもよく、いくつかの実施では、少なくとも約１０個または１５個または２０個または３０個、またはそれより多い光源（例えばＬＥＤ）が設けられていてもよい。ある実施では、少なくとも３５個または４０個のＬＥＤが、管状本体上に保有され、中心内腔に露出している。ＬＥＤのいくつかまたはすべてが直角ＬＥＤであってもよい。      
【００３６】
光源は、遠位端から管状本体の長さの約５０％以内または約３０％以内または約２０％以内または約１０％以内、またはもっと近くに配置されていてもよい。いくつかの実施では、光源は、遠位端から約５ｃｍ以内または約３ｃｍ以内または約１ｃｍ以内または約２ｃｍ以内に配置されている。複数の光源が、共通の横断面上にあってもよく、または光源のリングが、共通の横断面上に実質的にあってもよい（リングが小さな軸方向の位置変位を有していてもよいが、横断面の約±１ｃｍ以内または約±０．５ｃｍ以内、またはもっと小さい光源を意味する）。
【００３７】
管状本体は、光源の第２の近位リングから遠位に配置された、光源の第１の遠位リングを有していてもよい。少なくとも、光源の第３の中間のリングが、第１のリングと第２のリングの間に配置されていてもよい。これらのリングは、少なくとも約２ｃｍまで、いくつかの実施では、少なくとも約３ｃｍまで、または少なくとも約４ｃｍまで、またはもっと大きく離れていてもよい。
【００３８】
管状本体の遠位端に、たった１個の光源または光源のリングが与えられている場合、管状本体の遠位端で血液が内腔に入ると、光源が遮られてしまう場合がある。内腔の長さに沿って近位に軸方向に空間的に離れた少なくとも１個、好ましくは２個以上の第２光源が与えられると、１個以上の遠位光源が遮られてしまう事象で、光の連続性が可能になる。
【００３９】
システムは、頭蓋内出血に接近し、撮像するための熱に安定なシステムとして構成することができる。そのように構成されると、装置は、近位端、遠位端および内腔を有する細長い管状本体と、前記管状本体の長さの遠位に最大約３０％以内または約２０％以内または約１０％以内で管状本体に保有される複数のＬＥＤ光源と、管状本体の近位端に取り付けられたセンサ／カメラとを備えていてもよい。内腔は、ＩＣＨに対する手術を行いつつ、ＩＣＨ部位の同時視認を行う。ＳＴＰで少なくとも６０分間、少なくとも約３，０００ルーメンの強度での周囲空気中のＬＥＤ光源の操作によって、前記管状本体の遠位端が、約２２℃または約１７℃または約１０℃（４０°Ｆまたは３０°Ｆまたは２０°Ｆ）を超えない温度まで上昇する。好ましくは、約３５００〜約４５００ルーメンの範囲内でのＬＥＤの操作は、管状本体の遠位端を約２２℃または約１７℃または約１０℃（４０°Ｆまたは３０°Ｆまたは２０°Ｆ）を超えない温度まで上昇させる。ＩＣＨを治療するために必要な手術時間（典型的には３０〜６０分間）内のｉｎ  ｖｉｖｏでの装置の操作は、好ましくは、遠位端と接触した組織を、約４５℃を超えない温度まで、最適には約４３℃または４０℃を超えない温度まで上昇させるだろう。
【００４０】
接近および撮像装置は、少なくとも３個のＬＥＤを備えていてもよく、場合により、管状本体の長さの遠位に最大約３０％以内に少なくとも約１０個または約２０個または約３０個のＬＥＤを備えていてもよい。ＬＥＤは、同じ横断面に配置されていてもよく、または少なくとも１個、好ましくは複数のＬＥＤが、第１および第２の横断面のそれぞれに、場合により、管状本体の長さに沿って軸方向に空間的に離れた第３または第４の横断面に配置されていてもよい。少なくとも１個、好ましくは複数のＬＥＤは、直角ＬＥＤである。少なくとも１個のＬＥＤは、約３００ｎｍ〜約１ｍｍ、好ましくは約３９０ｎｍ〜約７００ｎｍの範囲内の波長で機能する。第１のセットのＬＥＤは、可視光範囲の第１波長で機能してもよく、第２のセットのＬＥＤは、第２の異なる波長（例えば、赤外線範囲）で機能してもよい。または、少なくとも１個、好ましくは複数のＬＥＤは、第１波長と第２波長の間で調製可能である。
【００４１】
接近および撮像装置は、さらに、近位端によって保持され、センサと遠位端との間の光路内に配置された光学素子を備えていてもよい。光学素子は、遠位に面する表面を有する、プリズム、鏡またはその他のリフレクタを備えていてもよい。中心内腔は、これらを通って同軸に延びる長手方向軸を有していてもよい。撮像センサは、第１視軸を有し、長手方向軸と第１視軸は、ある角度で、光学素子で交差する。この角度は、０度より大きく、いくつかの実施では、約７０°〜１１０°の範囲内であってもよく、または約８５°〜約９５°の範囲内であってもよい。プリズムは、管状本体を通って近位に伝播する光線を曲げ、光線をセンサに対して横方向に向ける。
【００４２】
プリズムの遠位表面は、内腔の内径の約２５°以下まで、好ましくは、内腔の内径の約１５％以下または約１０％以下まで、中心内腔に突き出ている（ｏｖｅｒｈａｎｇｓ）。プリズムは、管状本体に対して強固に取り付けられていてもよく、または調節可能に取り付けられていてもよい。プリズム視軸（第２視軸）は、プリズムの遠位光学面に対して垂直に延び、プリズム視軸は、管状本体の中心長手方向軸に対して平行ではない。プリズム視軸は、管状本体の長さの約８０％〜１２０％の範囲内の距離まで近位端から空間的に離れた点で、好ましくは、管状本体の長さの約９５％〜１０５％の範囲内の距離まで近位端から空間的に離れた点で、中心長手方向軸と交差していてもよい。
【００４３】
センサは、可視光および少なくとも１つの非可視光の波長のいずれかまたは両方で（例えば赤外光で）、画像を捕捉してもよい。または、可視光での感度を有する第１センサおよび赤外光での感度を有する第２センサが与えられてもよい。この２つのセンサそれぞれの方に反射した光を向けるために、ビームスプリッタが与えられてもよい。デジタルズーム、コントラスト、輝度、飽和度、シャープネス、ホワイトバランスおよび水平アライメントおよび垂直アライメントおよび回転を制御するために、制御回路を有するセンサが与えられてもよい。
【００４４】
システムは、自給式の医学的な視覚化および接近装置として構成されてもよい。そのように構成される場合、装置は、近位端、遠位端およびその間に延びるワーキングチャンネルを有する細長い管状本体と、近位端によって保有され、ワーキングチャンネルを通って自由空間に伝播される画像データを捕捉するように構成されるセンサとを備えていてもよく、センサとワーキングチャンネルとの間の関係が固定されている場合、手術道具の操作および視覚化は、ワーキングチャンネルによって同時に達成されてもよい。すなわち、脳外科医は、道具のための路を作り、カニューレの遠位端または遠位端を超える術野内の道具先端部を操作しつつ、カメラによって得られる画像の表示を見続けるためにカメラを除去する必要なく、道具（例えば、アスピレータまたはマセレータ）を挿入することができる。装置は、さらに、ワーキングチャンネルからの画像データをセンサに対して横方向に向けるために、プリズム、鏡またはその他のリフレクタなどの光学素子を備えていてもよい。プリズムからワーキングチャンネル中の自由空間を通って遠位に延びる（プリズムの遠位表面からカニューレの遠位端までの）第２視軸は、近位端から管状本体の長さの少なくとも約７５％である点で、ワーキングチャンネルの中心長手方向軸と交差する。自給式の医学的な視覚化および接近装置は、さらに、既に記載したようにワーキングチャンネル内に複数のＬＥＤを備えていてもよい。
【００４５】
まぶしさを減らして最適化しつつ、上の装置のいずれかが、さらに与えられてもよい。例えば、近位方向での光源から反射した光からのまぶしさを抑えるために、遠位光源と近位端との間に、複数の光学バッフルと共に、中心内腔が与えられてもよい。少なくとも３個、好ましくはもっと多くの光源が、管状本体の内壁によって保有され、遠位端から管状本体の長さの約５０％以内、好ましくは約２０％以内に配置される。光学バッフルは、偏光格子を備えていてもよく、偏光格子は、光源によって保有されていてもよく、および／またはセンサに隣接して保有されていてもよい。または、光学バッフルは、内壁上に機械的な表面構造（例えば、反射を散逸する複数の軸方向に空間的に離れた突起部または溝または表面テクスチャ）を備えていてもよい。機械的な表面構造は、中心内腔の周囲に、軸方向に空間的に離れて、らせん形の突起部またはチャンネル、または別個の円形のリングを備えていてもよい。らせん形の突起部は、管状本体と一体的に形成されてもよく、またはらせん形構造（例えばバネ）を中心内腔内に導入することによって形成されてもよい。
【００４６】
中心長手方向軸以外の軸に沿って光学構成部品を移動させることによって調節可能な視野の焦点および／または深さを有しつつ、上述のいずれかが与えられてもよく、それによって、オブチュレータまたは手術道具を使用し、中心内腔を通る視野の直線を維持するために中心内腔への接近を最適化する。
【００４７】
例えば、頭蓋内出血の視覚化および接近装置は、近位端、遠位端および中心内腔を有する細長い管状本体を備えていてもよい。センサは、近位端によって保有され、管状本体の遠位端を超えたところにあり、視野の深さ内にある組織の焦点画像を捕捉するように構成されていてもよい。管状本体の長手方向軸に対して半径方向に内側または外側への光学素子の移動は、センサによって捕捉される焦点距離を変える。光学素子は、センサであってもよく、またはレンズであってもよい。
【００４８】
プリズムは、近位端によって保有され、中心内腔を通って自由空間に伝播する画像がセンサに向かうように構成されていてもよい。光学開口部が、プリズムとセンサとの間の光路中に与えられてもよい。いくつかの実施では、開口部は、直径が約１．３ｍｍ〜約１．７ｍｍの範囲内である。プリズムは、管状本体に動かないように固定されていてもよい。光学システムは、さらに、光路にレンズと、調節制御（例えば、標的組織の光学倍率のためのノブ）とを備えていてもよい。
【００４９】
本明細書に開示するいずれかの光学素子は、中心内腔を通って延びる自由空間の光路の近位端（例えば、プリズム）で、平面の遠位光学面と、遠位光学面に対して垂直に中心内腔を通って延びる第２視軸とを有していてもよい。管状本体は、中心長手方向軸によって特徴付けられてもよく、第２視軸は、管状本体の遠位端付近で、管状本体の長さの約８０％〜約１２０％の範囲内、いくつかの実施では、管状本体の長さの約９５％〜約１０５％の範囲内の距離まで近位端から空間的に離れた点で、中心長手方向軸と交差する。
【００５０】
プリズムは、第２視軸（プリズム視軸）から第１視軸に対して約７０°〜約１１０°の範囲内、いくつかの実施では、プリズム視軸から約８５°〜約９５°の範囲内の角度で、光を曲げてもよい。プリズムは、中心内腔の内径の約２５％以下まで、好ましくは、中心内腔の内径の約１５％以下まで、中心内腔に突き出て（ｏｖｅｒｈａｎｇ）いてもよい。プリズムは、第２視軸から約７０°〜約１１０°の範囲内、いくつかの実施では、第２視軸から約８５°〜約９５°の範囲内の角度に光を曲げてもよい。プリズムは、中心内腔の内径の約２５％以下まで、好ましくは、中心内腔の内径の約１５％以下まで、中心内腔に突き出て（ｏｖｅｒｈａｎｇ）いてもよい。
【００５１】
図１〜９を参照しつつ記載される装置の特徴は、閉塞耐性のある光路である。システムは、遠位に配置された光学素子（例えば、シースの遠位端に、またはシースの遠位端付近に配置されるウィンドウまたはレンズ）を備えるべきであり、画像は、遠位光学面と接触する血液またはその他の組織によって塞がれる場合がある。このことにより、表面がはっきり見えるように、装置を取り出す必要がある。シースの近位端に最遠位の光学面を配置することによって、光学面は、術野から十分に空間的に離れ、血液または組織片が光学面と接触するリスクが最小化される。したがって、接近装置のための向上した光学性能を有する視覚化システムは、細長い管状本体の遠位端に動かないように固定された光学素子を用いずに（しかし、図１２〜１９に示す取り外し可能なオブチュレータを可能にする）、近位端、遠位端およびこれらの間に軸方向に延びる中心内腔を有する細長い管状本体を備えていてもよい。シースの遠位端を超えて画像を捕捉するために、センサ、レンズおよび遠位方向に面する最遠位の光学面を備える光学システムが提供されてもよい。光学面は、管状本体の長さの少なくとも約８０％または９０％まで、中心内腔を通って行われる外科的処置によって破壊される液体または組織片の範囲を超えるように、遠位端から空間的に離れている。異なる実施では、光学面は、シースの遠位端から近位に少なくとも約５０ｍｍ、いくつかの実施形態では、少なくとも約７５ｍｍまたは１００ｍｍまたは１２０ｍｍ、またはもっと離れて配置されていてもよい。
【００５２】
図１２〜図１９を参照しつつ記載される装置の特徴は、シースの近位端への軸から外れた導入のために構成されているオブチュレータと、光学的に半透明な遠位先端部である。オブチュレータは、細長い支持部と、支持部の遠位端にオブチュレータ先端部とを備えていてもよい。オブチュレータ先端部は、近位方向に半径方向内側にテーパー形状であるテーパー状表面を有する近位表面を有していてもよい。近位表面は、半径方向に対称であってもよい（例えば、円錐形状）。円筒形部分は、近位表面の遠位端から遠位に延びており、シース内に密に適合してスライドするための寸法を有していてもよい。遠位表面は、円錐形遠位部分を有していてもよく、その直径は、遠位方向に半径方向内側にテーパー形状である。好ましくは、本体は、少なくとも半透明であり、可視光範囲の光などの光に対して光学的に透明であるが、オブチュレータの軸外の挿入の利点は、図１１のように、不透明なオブチュレータ先端部を有する場合に得られるだろう。支持部は、管状であってもよく、例えば、好ましくは遠位端でオブチュレータ本体によって保有される赤外線マッピングセンサを操作するために、電気伝導体または光学伝導体を含んでいてもよい。遠位円錐形表面は、軟組織を通って進む際に有用であり、一方、近位の円錐形表面は、シースの近位端で中心内腔に突き出ている（ｏｖｅｒｈａｎｇｉｎｇ）プリズムまたはその他の光学素子の位置を変える必要なく、オブチュレータの取り外しが容易である。
【００５３】
したがって、頭蓋内出血の視覚化および接近システムは、近位端、遠位端、中心内腔およびこれらの間に延びる長手方向軸を有する細長い管状本体を備えていてもよい。近位端によって保有されるセンサは、中心内腔を通って画像データを捕捉するように構成され、センサは、第１視軸を有する。近位端によって保有される光学素子は、中心内腔の近位への伸長路に突き出て（ｏｖｅｒｈａｎｇｓ）、延びている。オブチュレータは、中心内腔を通って軸方向に進めることが可能である。突き出ている（ｏｖｅｒｈａｎｇｉｎｇ）光学素子は、シースの中心長手方向軸に沿ったシースの近位端へのオブチュレータの導入を妨害するが、オブチュレータは、中心長手方向軸に対してある角度に存在する進入軸に沿って、シースの近位端に入るように構成され、次いで、支持部は、シースの中心長手方向軸と平行または同軸に回転してもよく、その後、オブチュレータは、管状本体と同軸方向に遠位端に向かって内腔を通って軸方向に進められてもよい。円筒形部分の軸方向の長さは、中心内腔の近位端から光学素子までの距離より短い。したがって、内腔に突き出ている（ｏｖｅｒｈａｎｇｉｎｇ）カメラのカメラ部分の一部が、オブチュレータ先端部の経路を収容するように、カニューレの近位端から近位に空間的に離れており、オブチュレータ先端部は、カニューレ内腔の中を通るように構成され、一方、内腔に突き出ている（ｏｖｅｒｈａｎｇｉｎｇ）カメラの一部が、内腔に突き出ている（ｏｖｅｒｈａｎｇｉｎｇ）所定位置にある。
【００５４】
オブチュレータ先端部は、好ましくは、遠位表面を超える色変化を、近位表面の直接的な視覚化によって特定することができるほど、十分に光学的に透過性である。これにより、臨床医は、いつ遠位表面が脳組織、血餅または脳脊髄液と接触したかを知ることができる。ある実施では、オブチュレータは、さらに、ＩＲセンサなどのセンサと共に与えられる。 
【００５５】
装置および方法の好ましい実施形態を、これらが開発された環境を参照しつつ記載してきたが、これらは単に本発明の原理の実例である。装置は、例えば、脳室内出血の処置、神経刺激処置および腫瘍の切除など、種々の大脳内の処置に使用されてもよい。種々の実施形態の要素は、その他の種と組み合わせた要素の利点を得るために、その他の種のいずれかに組み込まれてもよく、種々の有益な特徴は、単独で、または互いに組み合わせて実施形態で使用されてもよい。その他の実施形態および構成は、本発明の精神および添付の特許請求の範囲から逸脱することなく発案されてもよい。
【図１】
2019528822.tif 000003
【図２】
2019528822.tif 000004
【図３】
2019528822.tif 000005
【図４】
2019528822.tif 000006
【図５】
2019528822.tif 000007
【図６】
2019528822.tif 000008
【図７】
2019528822.tif 000009
【図８】
2019528822.tif 000010
【図９】
2019528822.tif 000011
【図１０】
2019528822.tif 000012
【図１１】
2019528822.tif 000013
【図１２】
2019528822.tif 000014
【図１３】
2019528822.tif 000015
【図１４】
2019528822.tif 000016
【図１５】
2019528822.tif 000017
【図１６】
2019528822.tif 000018
【図１７】
2019528822.tif 000019
【図１８】
2019528822.tif 000020
【図１９】
2019528822.tif 000021
【国際調査報告】
2019528822.tif 000022
2019528822.tif 000023
2019528822.tif 000024
2019528822.tif 000025